(57)【要約】【課題】ＣＨにおける事故点測定後や相手端作業時のＣＨ架台の昇降に伴う災害の発生を未然に防止できると共に、導体引出棒から事故様相用測定ケーブルおよび事故点測定ケーブルを取り外す際の受電による感電等の問題を解消でき、測定作業を安全且つ確実に行うことができる、ケーブルヘッド作業用アダプタ装置を提供する。【解決手段】本発明は、ケーブル事故発生時での事故点測定に際し、気中ケーブルヘッドの導体引出棒を露出し、そこに作業用接地線・事故様相用測定ケーブルおよび事故点測定ケーブルを接続するためのケーブルヘッド作業用のアダプタ装置であって、略コ字形状のグリップ部の両端部間において、導体引出棒を挟持するための一対の挟持片を、相対移動可能に対向して配置している。【選択図】図３
2009240090.tif 000002
【特許請求の範囲】
【請求項１】
ケーブル事故発生時での事故点測定に際し、気中ケーブルヘッドの導体引出棒を露出し、そこに作業用接地線・事故様相用測定ケーブルおよび事故点測定ケーブルを接続するためのケーブルヘッド作業用のアダプタ装置であって、略コ字形状のグリップ部の両端部間において、導体引出棒を挟持するための一対の挟持片を、相対移動可能に対向して配置していることを特徴とするケーブルヘッド作業用のアダプタ装置。
【請求項２】
ケーブル事故発生時での事故点測定に際し、気中ケーブルヘッドの導体引出棒を露出し、そこに作業用接地線・事故様相用測定ケーブルおよび事故点測定ケーブルを接続するためのケーブルヘッド作業用のアダプタ装置であって、略コ字形状のグリップ部と、該グリップ部の一端に固定され、先端に第１挟持片を備えたロッド部と、該グリップ部の他端に螺進退可能に装着され、先端に第２挟持片を備え、且つ後端にハンドル部を備えた螺子棒部とから構成され、前記第１挟持片と第２挟持片を、グリップ部の両端部間において、対向して配置していることを特徴とするケーブルヘッド作業用のアダプタ装置。
【請求項３】
両挟持片によって導体引出棒を挟持することで、アダプタ装置が固定される請求項１または２に記載のケーブルヘッド作業用のアダプタ装置。
【請求項４】
ロッド部には、作業用接地線・事故様相用測定ケーブルおよび事故点測定ケーブルが接続される請求項２または３に記載のケーブルヘッド作業用のアダプタ装置。
【請求項５】
ロッド部は、その一端側がループ状に形成されている請求項２乃至４のいずれかに記載のケーブルヘッド作業用のアダプタ装置。
【発明の詳細な説明】
【技術分野】
【０００１】
本発明は、ケーブル事故発生時における事故点測定等に使用する、ケーブルヘッド作業用のアダプタ装置に関するものである。
【背景技術】
【０００２】
ケーブル事故発生時には、気中ケーブルヘッド（以下、ＣＨと称す）にて電源側のリード線および羽子板端子を切り離し、導体引出棒へ作業用接地線・事故様相用測定ケーブルおよび事故点測定ケーブルを接続して事故点測定等を行っている。
【０００３】
すなわち、この測定においては、図５に示すように、先ず、電源側送電線Ｑに作業用接地線を取り付けた後、ＣＨの電源側のリード線を切り離して導体引出棒Ｐを露出させる。
【０００４】
次に、導体引出棒Ｐへ事故様相用測定ケーブルＫを接続して、事故相を判別する。
【０００５】
そして、事故様相用測定ケーブルＫに、事故点測定ケーブルＫ１を取り付け、極性反転により２回、負荷側ＣＨから２回の測定を行う。また。その都度、作業用接地線を取り付けている。
【特許文献１】特になし
【発明の開示】
【発明が解決しようとする課題】
【０００６】
しかしながら、従来においては、導体引出棒Ｐに作業用接地線・事故様相用測定ケーブルおよび事故点測定ケーブルを接続するに際し、当該導体引出棒Ｐは同一径（円柱状）の銅棒を縦方向に突出して形成されているため、下記のような不具合がある。
【０００７】
すなわち、一般にＣＨは高所にあるため、上記した作業手順で実施した場合には、第１に、導体引出棒Ｐへの作業用接地線の付け外し時にＣＨ架台への上り下りが必要となり、事故点測定後や相手端作業時等、その都度、架台へ昇降をしなければならないため、作業効率が悪いのに加え、架台昇降時に災害が発生する危険性がある。
【０００８】
第２に、導体引出棒Ｐから事故様相用測定ケーブルおよび事故点測定ケーブルを取り外す際に、必ず無接地状態で架台へ昇降することから、受電による感電発生等の危険性の問題が残されている。
【０００９】
そこで、本発明は如上のような従来存した諸事情に鑑み創出されたもので、ＣＨにおける事故点測定後や相手端作業時のＣＨ架台の昇降に伴う災害の発生を未然に防止できると共に、導体引出棒から事故様相用測定ケーブルおよび事故点測定ケーブルを取り外す際の受電による感電等の問題を解消でき、測定作業を安全且つ確実に行うことができる、ケーブルヘッド作業用アダプタ装置を提供することを目的とする。
【課題を解決するための手段】
【００１０】
本発明は、ケーブル事故発生時での事故点測定に際し、気中ケーブルヘッドの導体引出棒を露出し、そこに作業用接地線・事故様相用測定ケーブルおよび事故点測定ケーブルを接続するためのケーブルヘッド作業用のアダプタ装置であって、略コ字形状のグリップ部の両端部間において、導体引出棒を挟持するための一対の挟持片を、相対移動可能に対向して配置していることで、上述した課題を解決した。
【００１１】
また、ケーブル事故発生時での事故点測定に際し、気中ケーブルヘッドの導体引出棒を露出し、そこに作業用接地線・事故様相用測定ケーブルおよび事故点測定ケーブルを接続するためのケーブルヘッド作業用のアダプタ装置であって、略コ字形状のグリップ部と、該グリップ部の一端に固定され、先端に第１挟持片を備えたロッド部と、該グリップ部の他端に螺進退可能に装着され、先端に第２挟持片を備え、且つ後端にハンドル部を備えた螺子棒部とから構成され、前記第１挟持片と第２挟持片を、グリップ部の両端部間において、対向して配置していることで、同じく上述した課題を解決した。
【００１２】
さらに、両挟持片によって導体引出棒を挟持することで、アダプタ装置が固定されることで、同じく上述した課題を解決した。
【００１３】
また、ロッド部には、作業用接地線・事故様相用測定ケーブルおよび事故点測定ケーブルが接続されることで、同じく上述した課題を解決した。
【００１４】
この他、ロッド部は、その一端側がループ状に形成されていることで、同じく上述した課題を解決した。
【発明の効果】
【００１５】
本発明によれば、ＣＨにおける事故点測定後や相手端作業時のＣＨ架台の昇降に伴う災害の発生を未然に防止できると共に、導体引出棒から事故様相用測定ケーブルおよび事故点測定ケーブルを取り外す際の受電による感電等の問題を解消でき、測定作業を安全且つ確実に行うことができる。
【００１６】
すなわち、本発明に係るケーブルヘッド作業用のアダプタ装置は、略コ字形状のグリップ部の両端部間において、導体引出棒を挟持するための一対の挟持片を、相対移動可能に対向して配置しているので、アダプタ装置を導体引出棒に簡単に固定できる。
【００１７】
このとき、アダプタ装置は、羽子板式の固定端子の取り外し時の導体引出棒の押さえである、所謂クランプとして利用でき、導体引出棒自体に無理な力が加わらない。
【００１８】
また、今後において、複合碍管が多く採用されてくることを考えると、本発明に係るケーブルヘッド作業用のアダプタ装置を新綱としても使用が可能となり、うっかりミスによる碍管への器材による損傷の発生を未然に防止できる。
【００１９】
さらに、本発明に係るケーブルヘッド作業用のアダプタ装置を介して、ＣＨ架台の下方から作業用接地線や事故様相用測定ケーブルの着脱を容易に行えることから、ＣＨ架台への昇降回数を減らすことができる。
【００２０】
そして、上記により、地中線専用のＣＨ架台のケーブルによる通常の場合と比較して、事故測定に要する作業時間を約３０分程度短縮できるのである。
【００２１】
この他、本発明に係るケーブルヘッド作業用のアダプタ装置の具体的な構成として、略コ字形状のグリップ部と、該グリップ部の一端に固定され、先端に第１挟持片を備えたロッド部と、該グリップ部の他端に螺進退可能に装着され、先端に第２挟持片を備え、且つ後端にハンドル部を備えた螺子棒部とから構成され、前記第１挟持片と第２挟持片を、グリップ部の両端部間において、対向して配置していることから、螺子棒部のハンドル部を回して第２挟持片を第１挟持片に近づけて、アダプタ装置を導体引出棒に簡単に固定できる。
【００２２】
また、両挟持片によって導体引出棒を挟持することで、アダプタ装置が固定されるので、当該アダプタ装置は、羽子板式の固定端子の取り外し時の導体引出棒の押さえである、所謂クランプとして利用でき、導体引出棒自体に無理な力が加わらない。
【００２３】
さらに、ロッド部には、作業用接地線・事故様相用測定ケーブルおよび事故点測定ケーブルが接続されるので、本発明に係るケーブルヘッド作業用のアダプタ装置を介して、ＣＨ架台の下方から作業用接地線や事故様相用測定ケーブルの着脱が容易に行えることとなり、ＣＨ架台への昇降回数を減らすことができる。
【００２４】
また、ロッド部は、その一端側がループ状に形成されていることから、ＣＨ架台の下方から作業用接地線や事故様相用測定ケーブルの着脱を容易に行うことができる。
【発明を実施するための最良の形態】
【００２５】
以下に、本発明を実施するための最良の形態を、図面を参照して説明する。
【００２６】
本発明に係るケーブルヘッド作業用のアダプタ装置１は、図１に示すように、略コ字形状のグリップ部２の両端部間により導体引出棒Ｐを挟持することで、アダプタ装置１を当該導体引出棒Ｐに固定するものであり、グリップ部２において、一対の挟持片５ａ，５ｂを、相対移動可能に対向して配置している。
【００２７】
具体的には、図１に示すように、略コ字形状のグリップ部２と、該グリップ部２の一端に固定されたロッド部３と、該グリップ部２の他端に螺進退可能に装着された螺子棒部４とから概ね構成されている。
【００２８】
そして、ロッド部３の先端に付設された第１挟持片５ａと、螺子棒部４の先端に付設された第２挟持片５ｂとが、前記グリップ部２の両端部間において対向して配置されている。
【００２９】
具体的には、図１・図２（ａ）・（ｂ）に示すように、ロッド部３の先端には、山形片状の第１挟持片５ａが縦向きとなってその頂点部分が固着されており、その側端には、略細長台形状の第１ガイド突起６ａが設けられている。
【００３０】
また、ロッド部３の後端には、円板状の係止端部７が固着されている。
【００３１】
そして、ロッド部３の第１挟持片５ａの付根部分が、グリップ部２の一端に形成されている筒部２ａに挿入され、溶接等によって固着されている。
【００３２】
このロッド部３は、作業用接地線Ｓ・事故様相用測定ケーブルＫおよび事故点測定ケーブルＫ１が接続されるものである。
【００３３】
一方、図１・図２（ａ）・（ｂ）に示すように、螺子棒部４の先端には、前記第１挟持片５ａと対向するように、山形片状の第２挟持片５ｂが縦向きとなってその頂点部分が固着されている。また、その側端には、前記第１ガイド突起６ａと対向するように、略細長台形状の第２ガイド突起６ｂが設けられている。
【００３４】
さらに、螺子棒部４の後端には、環状のハンドル部８が固着されている。
【００３５】
そして、螺子棒部４は、グリップ部２の他端に形成されている螺子筒部２ｂに螺入され、ハンドル部８の回転操作によって、螺進退移動が可能となるようにしている。
【００３６】
尚、ロッド部３は、図４に示すように、その一端側を、例えば、六角形のループ状に形成しても良い。また、グリップ部２とハンドル部８に、ゴムカバーを装着する等の絶縁措置を施しても良い。
【００３７】
次に、以上のように構成された本発明の最良の形態について、使用の一例を説明する。
【００３８】
先ず、図３（ａ）・（ｂ）に示すように、ロッド部３に作業用接地線Ｓの接地金具を付けた状態で、アダプタ装置１を導体引出棒Ｐと固定端子との間に挿入する。
【００３９】
このとき、アダプタ装置１の第１ガイド突起６ａおよび第２ガイド突起６ｂを介して、第１挟持片５ａおよび第２挟持片５ｂ相互間に導体引出棒Ｐを導入し、ハンドル部８の回転操作によって、螺子棒部４を介して第２挟持片５ｂを螺進移動させる。
【００４０】
そして、グリップ部２の両端部間において、第１挟持片５ａおよび第２挟持片５ｂにより導体引出棒Ｐが挟持され、アダプタ装置１が導体引出棒Ｐに装着される。
【００４１】
尚、電磁誘導対策として過渡電流接地用具を使用する場合には、事前にこれをロッド部３に付けておく。
【００４２】
このようにロッド部３に、作業用接地線Ｓを付けた状態でアダプタ装置１を挿入することから、導体引出棒Ｐから固定端子（リード線）を外しても、ＣＨのケーブル側は接地されている状態となる。
【００４３】
そして、この作業用接地線Ｓを活用し、ブリッジタイプの事故様相用測定ケーブルＫをロッド部３に接続して、事故様相測定を行う。
【００４４】
事故様相測定後、作業用接地線Ｓの接地金具を、事故点測定ケーブルＫ１の甲種接地金具に変更し、事故様相結果から、例えば、高圧マレーループ法等により、事故点測定を行う。
【００４５】
こうして、事故様相用測定ケーブルＫおよび事故点測定ケーブルＫ１の付け替えに際し、作業用接地線Ｓの接地金具の取り外しと取り付けが、ＣＨ架台の下方側から容易に行えるのである。
【産業上の利用可能性】
【００４６】
本発明に係るケーブルヘッド作業用のアダプタ装置は、ケーブル事故発生時における事故点測定等に使用する他に、種々のケーブル接続用のアダプタ装置として、幅広く利用することができる。
【図面の簡単な説明】
【００４７】
【図１】本発明に係るケーブルヘッド作業用のアダプタ装置の全体構成を示す斜視図である。
【図２】ケーブルヘッド作業用のアダプタ装置の全体構成を示すもので、（ａ）は平面図、（ｂ）はハンドル部側から見た状態の側面図である。
【図３】ケーブルヘッド作業用のアダプタ装置の使用例を説明するもので、（ａ）は導体引出棒にアダプタ装置を取り付ける前の状態を示す斜視図、（ｂ）は導体引出棒にアダプタ装置を取り付け、このアダプタ装置のロッド部に接続金具とブリッジケーブルを取り付けた状態を示す斜視図である。
【図４】ロッド部を六角形のループ状に形成しているアダプタ装置の構成を示す斜視図である。
【図５】従来の手法を用いて、ケーブルヘッドにおける事故点測定を行っている状態を示す斜視図である。
【符号の説明】
【００４８】
Ｐ…導体引出棒
Ｑ…電源側送電線
Ｋ…事故様相用測定ケーブル
Ｋ１…事故点測定ケーブル
Ｓ…作業用接地線
１…アダプタ装置
２…グリップ部
２ａ…筒部
２ｂ…螺子筒部
３…ロッド部
４…螺子棒部
５ａ…第１挟持片
５ｂ…第２挟持片
６ａ…第１ガイド突起
６ｂ…第２ガイド突起
７…係止端部
８…ハンドル部
【図１】
2009240090.tif 000003
【図２】
2009240090.tif 000004
【図３】
2009240090.tif 000005
【図４】
2009240090.tif 000006
【図５】
2009240090.tif 000007